(57)【特許請求の範囲】
【請求項１】
印刷ジョブを送信する印刷ジョブ送信装置と前記印刷ジョブを実行して画像形成を行う画像形成装置とを有する画像形成システムであって、
前記印刷ジョブ送信装置は、
前記画像形成装置により画像が形成される記録媒体の枚数を設定する枚数設定部と、
前記枚数設定部により設定された前記記録媒体の枚数を示す枚数情報を含む印刷ジョブを前記画像形成装置に送信する送信部と、を有し、
前記画像形成装置は、
前記印刷ジョブに基づいて、記録媒体に画像を形成する画像形成部と、
前記画像形成部により画像が形成された記録媒体を収容する収容部と、
前記画像形成部による画像形成処理の終了が認識された場合、前記収容部に収容されている記録媒体の枚数が、前記枚数情報が示す枚数と一致するか否かを判断する判断部と、
前記判断部により前記枚数が一致すると判断される場合、前記収容部に収容されている前記記録媒体を第１の排出先に排出し、前記判断部により前記枚数が一致しないと判断される場合、前記記録媒体を前記第１の排出先とは異なる第２の排出先に排出する出力制御を行う制御部と、を有し、
前記印刷ジョブ送信装置は、
前記制御部による前記出力制御を行うか否かを印刷ジョブに対して設定する制御設定部をさらに有し、
前記出力制御を行うことが前記印刷ジョブに設定されている場合、前記制御部による前記出力制御が行われ、
前記制御部が前記出力制御を行わない場合には、前記収容部に収容されている前記記録媒体は、前記第１の排出先に排出されることを特徴とする画像形成システム。
【請求項２】
前記印刷ジョブは、各ページに共通のオブジェクトを有する複数ページの画像をページ毎に記録媒体に形成するためのデータを含むことを特徴とする請求項１に記載の画像形成システム。
【請求項３】
印刷ジョブを送信する印刷ジョブ送信装置と前記印刷ジョブを実行して画像形成を行う画像形成装置とを有する画像形成システムで使用される前記画像形成装置であって、
前記印刷ジョブ送信装置から送信された印刷ジョブを受信する受信部と、
前記受信部により受信された前記印刷ジョブに基づいて、記録媒体に画像を形成する画像形成部と、
前記画像形成部により画像が形成された記録媒体を収容する収容部と、
前記画像形成部による画像形成処理の終了が認識された場合、前記収容部に収容されている記録媒体の枚数が、前記印刷ジョブの情報に基づき特定される記録媒体の枚数と一致するか否かを判断する判断部と、
前記判断部により前記枚数が一致すると判断される場合、前記収容部に収容されている前記記録媒体を第１の排出先に排出し、前記判断部により前記枚数が一致しないと判断される場合、前記記録媒体を前記第１の排出先とは異なる第２の排出先に排出する出力制御を行う制御部と、を有し、
前記出力制御を行うことが前記印刷ジョブに設定されている場合、前記制御部による前記出力制御が行われ、
前記制御部が前記出力制御を行わない場合には、前記収容部に収容されている前記記録媒体は、前記第１の排出先に排出されることを特徴とする画像形成装置。
【請求項４】
前記印刷ジョブには、前記記録媒体の枚数を示す枚数情報が含まれており、
前記判断部は、前記収容部に収容されている記録媒体の枚数が、前記枚数情報が示す枚数と一致するか否かを判断することを特徴とする請求項３に記載の画像形成装置。
【請求項５】
前記印刷ジョブは、各ページに共通のオブジェクトを有する複数ページの画像をページ毎に記録媒体に形成するためのデータを含むことを特徴とする請求項３または４に記載の画像形成装置。
【請求項６】
印刷ジョブを実行して画像形成を行う画像形成装置であって、
印刷ジョブを生成するジョブ生成部と、
前記ジョブ生成部により生成された前記印刷ジョブに基づいて、記録媒体に画像を形成する画像形成部と、
前記画像形成部により画像が形成された記録媒体を収容する収容部と、
前記画像形成部による画像形成処理の終了が認識された場合、前記収容部に収容されている記録媒体の枚数が、前記印刷ジョブの情報に基づき特定される記録媒体の枚数と一致するか否かを判断する判断部と、
前記判断部により前記枚数が一致すると判断される場合、前記収容部に収容されている前記記録媒体を第１の排出先に排出し、前記判断部により前記枚数が一致しないと判断される場合、前記記録媒体を前記第１の排出先とは異なる第２の排出先に排出する出力制御を行う制御部と、を有し、
前記制御部による前記出力制御を行うか否かを印刷ジョブに対して設定する制御設定部をさらに有し、
前記出力制御を行うことが前記印刷ジョブに設定されている場合、前記制御部による前記出力制御が行われ、
前記制御部が前記出力制御を行わない場合には、前記収容部に収容されている前記記録媒体は、前記第１の排出先に排出されることを特徴とする画像形成装置。
【請求項７】
前記画像形成装置により画像が形成される記録媒体の枚数を設定する枚数設定部をさらに有し、
前記印刷ジョブは、前記枚数設定部により設定された前記記録媒体の枚数を示す枚数情報を含み、
前記判断部は、前記収容部に収容されている記録媒体の枚数が、前記枚数情報が示す枚数と一致するか否かを判断することを特徴とする請求項６に記載の画像形成装置。
【請求項８】
前記印刷ジョブは、各ページに共通のオブジェクトを有する複数ページの画像をページ毎に記録媒体に形成するためのデータを含むことを特徴とする請求項６または７に記載の画像形成装置。
【発明の詳細な説明】
【技術分野】
【０００１】
本発明は、画像形成システムおよび画像形成装置に関する。本発明は、特に、カーボンコピー印刷に用いられる画像形成システムおよび画像形成装置に関する。
【背景技術】
【０００２】
近年、市役所や病院等の施設において、「顧客用」帳票、「処理用」帳票、および「控え用」帳票等からなる１組の帳票を、ＭＦＰ（Ｍｕｌｔｉ−Ｆｕｎｃｔｉｏｎ  Ｐｅｒｉｐｈｅｒａｌ）等の画像形成装置により作成するカーボンコピー印刷が利用されている。カーボンコピー印刷では、ＰＣ（Ｐｅｒｓｏｎａｌ  Ｃｏｍｐｕｔｅｒ）により生成された印刷ジョブをＭＦＰが実行することにより、各帳票に対応する画像が用紙に形成され、画像が形成された複数枚の用紙がＭＦＰから出力される（たとえば、特許文献１参照）。カーボンコピー印刷では、１組の帳票を構成する複数枚の帳票がすべて揃っていることが重要である。
【０００３】
しかしながら、印刷ジョブの実行中にＭＦＰにおいて紙詰まり等の不具合が発生する場合、１組の帳票が正しく揃わないことがある。たとえば、印刷ジョブの実行中に紙詰まりが発生して印刷ジョブが強制終了される場合、１組の帳票のうち特定の帳票が印刷されないまま印刷処理が終了してしまうことがある。あるいは、紙詰まり発生時に印刷ジョブが強制終了されず印刷処理が継続される場合、特定の帳票が重複して印刷されてしまうことがある。
【０００４】
たとえば、上記３枚１組の帳票のうち「処理用」帳票が印刷されることなく印刷処理が終了された場合、「処理用」帳票が印刷されていないことに利用者が気付かないままＭＦＰから他の２枚の帳票を持ち去って処理を進めれば、「顧客用」帳票を顧客に渡したにも関わらず、その後、処理が進められないという問題が生じる。一方、たとえば、「処理用」帳票が重複して印刷された場合、「処理用」帳票が２枚あることに利用者が気付かないままＭＦＰから帳票を持ち去れば、同一の帳票に対して処理が二重に行われてしまうおそれがある。
【０００５】
したがって、１組の帳票が正しく揃っていない場合、帳票が正しく揃っていないことに利用者が気付くようにして、帳票が正しく揃っていないことに利用者が気付かないままＭＦＰから帳票を持ち去ってしまうことを防止することが望まれている。
【０００６】
なお、下記の特許文献２には、複数枚の用紙に画像を形成する際、すべての用紙に対する印刷処理が終了するまで装置内部の保管部に印刷済みの用紙を保管しておき、印刷処理の終了後に用紙を一括出力する画像形成装置が開示されている。このような構成によれば、印刷処理の終了前に利用者が一部の帳票を持ち去って帳票がバラバラになることが防止される。しかしながら、上記の画像形成装置では、印刷終了後に帳票が正しく揃ってない場合であっても、正しく揃っている場合と同様に帳票が出力されるため、帳票が正しく揃っていないことに利用者は気付くことができない。
【先行技術文献】
【特許文献】
【０００７】
【特許文献１】特開２００７−２１３３６５号公報
【特許文献２】特開２００７−２５３３４３号公報
【発明の概要】
【発明が解決しようとする課題】
【０００８】
本発明は、上述した課題に鑑みてなされたものである。したがって、本発明の目的は、画像が形成された１組の記録媒体が正しく揃っていない場合、記録媒体が正しく揃っていないことに利用者が気付くようにして、記録媒体が正しく揃っていないことに利用者が気付かないまま画像形成装置から記録媒体を持ち去ってしまうことを防止することができる画像形成システムおよび画像形成装置を提供することである。
【課題を解決するための手段】
【０００９】
本発明の上記目的は、下記の手段によって達成される。
【００１０】
（１）印刷ジョブを送信する印刷ジョブ送信装置と前記印刷ジョブを実行して画像形成を行う画像形成装置とを有する画像形成システムであって、前記印刷ジョブ送信装置は、前記画像形成装置により画像が形成される記録媒体の枚数を設定する枚数設定部と、前記枚数設定部により設定された前記記録媒体の枚数を示す枚数情報を含む印刷ジョブを前記画像形成装置に送信する送信部と、を有し、前記画像形成装置は、前記印刷ジョブに基づいて、記録媒体に画像を形成する画像形成部と、前記画像形成部により画像が形成された記録媒体を収容する収容部と、前記画像形成部による画像形成処理の終了が認識された場合、前記収容部に収容されている記録媒体の枚数が、前記枚数情報が示す枚数と一致するか否かを判断する判断部と、前記判断部により前記枚数が一致すると判断される場合、前記収容部に収容されている前記記録媒体を第１の排出先に排出し、前記判断部により前記枚数が一致しないと判断される場合、前記記録媒体を前記第１の排出先とは異なる第２の排出先に排出する出力制御を行う制御部と、を有し、前記印刷ジョブ送信装置は、前記制御部による前記出力制御を行うか否かを印刷ジョブに対して設定する制御設定部をさらに有し、前記出力制御を行うことが前記印刷ジョブに設定されている場合、前記制御部による前記出力制御が行われ、前記制御部が前記出力制御を行わない場合には、前記収容部に収容されている前記記録媒体は、前記第１の排出先に排出されることを特徴とする画像形成システム。
【００１２】
（２）前記印刷ジョブは、各ページに共通のオブジェクトを有する複数ページの画像をページ毎に記録媒体に形成するためのデータを含むことを特徴とする上記（１）に記載の画像形成システム。
【００１３】
（３）印刷ジョブを送信する印刷ジョブ送信装置と前記印刷ジョブを実行して画像形成を行う画像形成装置とを有する画像形成システムで使用される前記画像形成装置であって、前記印刷ジョブ送信装置から送信された印刷ジョブを受信する受信部と、前記受信部により受信された前記印刷ジョブに基づいて、記録媒体に画像を形成する画像形成部と、前記画像形成部により画像が形成された記録媒体を収容する収容部と、前記画像形成部による画像形成処理の終了が認識された場合、前記収容部に収容されている記録媒体の枚数が、前記印刷ジョブの情報に基づき特定される記録媒体の枚数と一致するか否かを判断する判断部と、前記判断部により前記枚数が一致すると判断される場合、前記収容部に収容されている前記記録媒体を第１の排出先に排出し、前記判断部により前記枚数が一致しないと判断される場合、前記記録媒体を前記第１の排出先とは異なる第２の排出先に排出する出力制御を行う制御部と、を有し、前記出力制御を行うことが前記印刷ジョブに設定されている場合、前記制御部による前記出力制御が行われ、前記制御部が前記出力制御を行わない場合には、前記収容部に収容されている前記記録媒体は、前記第１の排出先に排出されることを特徴とする画像形成装置。
【００１４】
（４）前記印刷ジョブには、前記記録媒体の枚数を示す枚数情報が含まれており、前記判断部は、前記収容部に収容されている記録媒体の枚数が、前記枚数情報が示す枚数と一致するか否かを判断することを特徴とする上記（３）に記載の画像形成装置。
【００１６】
（５）前記印刷ジョブは、各ページに共通のオブジェクトを有する複数ページの画像をページ毎に記録媒体に形成するためのデータを含むことを特徴とする上記（３）または（４）に記載の画像形成装置。
【００１７】
（６）印刷ジョブを実行して画像形成を行う画像形成装置であって、印刷ジョブを生成するジョブ生成部と、前記ジョブ生成部により生成された前記印刷ジョブに基づいて、記録媒体に画像を形成する画像形成部と、前記画像形成部により画像が形成された記録媒体を収容する収容部と、前記画像形成部による画像形成処理の終了が認識された場合、前記収容部に収容されている記録媒体の枚数が、前記印刷ジョブの情報に基づき特定される記録媒体の枚数と一致するか否かを判断する判断部と、前記判断部により前記枚数が一致すると判断される場合、前記収容部に収容されている前記記録媒体を第１の排出先に排出し、前記判断部により前記枚数が一致しないと判断される場合、前記記録媒体を前記第１の排出先とは異なる第２の排出先に排出する出力制御を行う制御部と、を有し、前記制御部による前記出力制御を行うか否かを印刷ジョブに対して設定する制御設定部をさらに有し、前記出力制御を行うことが前記印刷ジョブに設定されている場合、前記制御部による前記出力制御が行われ、前記制御部が前記出力制御を行わない場合には、前記収容部に収容されている前記記録媒体は、前記第１の排出先に排出されることを特徴とする画像形成装置。
【００１８】
（７）前記画像形成装置により画像が形成される記録媒体の枚数を設定する枚数設定部をさらに有し、前記印刷ジョブは、前記枚数設定部により設定された前記記録媒体の枚数を示す枚数情報を含み、前記判断部は、前記収容部に収容されている記録媒体の枚数が、前記枚数情報が示す枚数と一致するか否かを判断することを特徴とする上記（６）に記載の画像形成装置。
【００２０】
（８）前記印刷ジョブは、各ページに共通のオブジェクトを有する複数ページの画像をページ毎に記録媒体に形成するためのデータを含むことを特徴とする上記（６）または（７）に記載の画像形成装置。
【発明の効果】
【００２１】
本発明によれば、画像が形成された記録媒体の枚数が予め設定された枚数と一致しない場合、記録媒体の枚数が一致する場合とは異なる排出先に記録媒体が排出されるため、画像が形成された１組の記録媒体が正しく揃っていないことに利用者が気付くことができる。したがって、１組の記録媒体が正しく揃っていないことに利用者が気付かないまま画像形成装置から記録媒体を持ち去ってしまうことが防止される。
【図面の簡単な説明】
【００２２】
【図１】本発明の一実施形態に係る画像形成システムの全体構成を示すブロック図である。
【図２】図１に示されるＰＣの構成を示すブロック図である。
【図３】図１に示されるＭＦＰの構成を示す概略正面図である。
【図４】図１に示されるＭＦＰの構成を示すブロック図である。
【図５】カーボンコピー印刷により作成される１組の帳票の一例を示す図である。
【図６】ＰＣにより実行される印刷指示処理の手順を示すフローチャートである。
【図７】ＰＣのディスプレイに表示される出力設定画面の一例を示す図である。
【図８】ＭＦＰにより実行される印刷処理の手順を示すフローチャートである。
【図９】ＰＣからＭＦＰに送信される印刷データの一例を示す図である。
【図１０】変形例に係るＭＦＰのＨＤＤの内容を示すブロック図である。
【発明を実施するための形態】
【００２３】
以下、図面を参照して、本発明の実施形態を詳細に説明する。
【００２４】
図１は、本発明の一実施形態に係る画像形成システムの全体構成を示すブロック図である。
【００２５】
本実施形態の画像形成システムは、印刷ジョブ送信装置としてのＰＣ１００と、画像形成装置としてのＭＦＰ２００とを備え、これらはネットワーク３００を介して相互に通信可能に接続されている。
【００２６】
ネットワーク３００は、イーサネット（登録商標）、トークンリング、ＦＤＤＩ（Ｆｉｂｅｒ  Ｄｉｓｔｒｉｂｕｔｅｄ  Ｄａｔａ  Ｉｎｔｅｒｆａｃｅ）等の規格によりコンピュータやネットワーク機器同士を接続したＬＡＮ（Ｌｏｃａｌ  Ａｒｅａ  Ｎｅｔｗｏｒｋ）や、ＬＡＮ同士を専用線で接続したＷＡＮ（Ｗｉｄｅ  Ａｒｅａ  Ｎｅｔｗｏｒｋ）等からなる。なお、ネットワーク３００に接続される機器の種類および台数は、図１に示す例に限定されない。また、ＰＣ１００とＭＦＰ２００とは、ネットワーク３００を介することなく直接機器間で接続（ローカル接続）されていてもよい。
【００２７】
図２は、図１に示されるＰＣの構成を示すブロック図である。ＰＣ１００は、ＣＰＵ（Ｃｅｎｔｒａｌ  Ｐｒｏｃｅｓｓｉｎｇ  Ｕｎｉｔ）１０１、メモリ１０２、ＨＤＤ（Ｈａｒｄ  Ｄｉｓｋ  Ｄｒｉｖｅ）１０３、ディスプレイ１０４、入力装置１０５、および通信Ｉ／Ｆ（Ｉｎｔｅｒｆａｃｅ）部１０６を備えており、これらは信号をやり取りするためのバス１０７を介して相互に接続されている。
【００２８】
ＣＰＵ１０１は、プログラムにしたがって上記各部の制御や各種の演算処理を行う。メモリ１０２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄａｍ  Ａｃｃｅｓｓ  Ｍｅｍｏｒｙ）等からなる。
【００２９】
ＨＤＤ１０３は、オペレーティングシステムを含む各種プログラムや各種データを格納する。ＨＤＤ１０３には、文書ファイルを作成するための文書ファイル作成アプリケーションと、文書ファイルをＭＦＰ２００が解釈可能なページ記述言語（ＰＤＬ）で記述された印刷データに変換するためのプリンタドライバとがインストールされている。ここで、文書ファイル作成アプリケーションには、たとえば、帳票作成用の専用のアプリケーションが含まれる。
【００３０】
ディスプレイ１０４は、たとえば、液晶ディスプレイであり、各種の情報を表示する。入力装置１０５は、マウス等のポインティングデバイスやキーボードを含み、各種の入力を行うために使用される。
【００３１】
通信Ｉ／Ｆ部１０６は、ネットワーク３００を介し他の機器と通信するためのインタフェースであり、イーサネット（登録商標）、トークンリング、ＦＤＤＩ等の規格が用いられる。
【００３２】
図３は、図１に示されるＭＦＰの構成を示す概略正面図であり、図４は、図１に示されるＭＦＰの構成を示すブロック図である。
【００３３】
ＭＦＰ２００は、制御部２１０、操作パネル部２２０、画像読取部２３０、給紙部２４０、画像形成部２５０、一時保管部２６０、排紙部２７０、および異常終了用紙保管部２８０を備えており、これらは信号をやり取りするためのバスを介して相互に接続されている。なお、ＭＦＰ２００の上記各部のうち、ＰＣ１００の上記各部と同様の機能を有する部分については、説明の重複を避けるためその説明を省略する。
【００３４】
制御部２１０は、ＣＰＵ２０１、メモリ２０２、ＨＤＤ２０３、および通信Ｉ／Ｆ部２０４を有する。ＨＤＤ２０３には、ＰＣ１００からの印刷データを変換してビットマップ形式の画像データを生成するための画像データ生成プログラム、および、印刷処理の異常終了が認識された場合に異常終了用紙保管部２８０に用紙を保管する異常終了処理を実行するための異常終了処理実行プログラムが格納されている。
【００３５】
操作パネル部２２０は、タッチパネル、テンキー、スタートボタン、ストップボタン等を備えており、各種情報の表示および各種指示の入力に使用される。
【００３６】
画像読取部２３０は、所定の読み取り位置にセットされた原稿またはＡＤＦ（Ａｕｔｏ  Ｄｏｃｕｍｅｎｔ  Ｆｅｅｄｅｒ：自動原稿搬送装置）により所定の読み取り位置に搬送された原稿に蛍光ランプ等の光源で光を当て、その反射光をＣＣＤ（Ｃｈａｒｇｅ  Ｃｏｕｐｌｅｄ  Ｄｅｖｉｃｅ）イメージセンサ等の撮像装置で光電変換して、その電気信号から画像データを生成する。
【００３７】
給紙部２４０は、印刷に使用される記録媒体としての用紙を収容する。給紙部２４０は、複数の給紙トレイを有しており、給紙トレイに収容された用紙を１枚ずつ画像形成部２５０に送り出す。
【００３８】
画像形成部２５０は、帯電、露光、現像、転写、および定着の各工程を含む電子写真式プロセス等の周知の作像プロセスを用いて、各種データに基づく画像を用紙上に形成する。
【００３９】
一時保管部２６０は、収容部として、画像形成部２５０から搬送される印刷後の用紙を一時的に収容する。一時保管部２６０は、用紙を搬送するための搬送機構（不図示）を有し、印刷処理の終了が認識された場合、排紙部２７０または異常終了用紙保管部２８０に用紙をまとめて排出する。一時保管部２６０には、画像形成部２５０から搬送される印刷済みの用紙の枚数を認識するためのセンサおよびカウンタ（不図示）が設けられている。
【００４０】
排紙部２７０は、一時保管部２６０に収容されている印刷後の用紙を排出する。排紙部２７０は、複数の排紙トレイを有しており、一時保管部２６０から搬送される印刷後の用紙は所定の排紙トレイに排出される。また、排紙部２７０には、ステープル処理およびパンチ処理等の後処理を施すための後処理装置（不図示）が設けられており、印刷設定に応じて、印刷済みの用紙に対して後処理を施すことができる。なお、排紙部２７０には、用紙を取り出すための扉が設けられた排紙ボックスが備えられ、一時保管部２６０から搬送される印刷後の用紙は排紙ボックスに収容されてもよい。
【００４１】
異常終了用紙保管部２８０は、一時保管部２６０に収容されている印刷後の用紙を保管する。本実施形態の異常終了用紙保管部２８０は、用紙を取り出すための扉（不図示）が設けられており、一時保管部２６０から搬送される用紙がＭＦＰ２００の外部に排出されることを防止している。
【００４２】
なお、ＰＣ１００およびＭＦＰ２００は、それぞれ、上記の構成要素以外の構成要素を含んでいてもよく、あるいは、上記の構成要素のうちの一部が含まれていなくてもよい。
【００４３】
次に、図５を参照して、カーボンコピー印刷について説明する。
【００４４】
図５は、カーボンコピー印刷により作成される１組の帳票の一例を示す図である。カーボンコピー印刷では、ＭＦＰ２００により各帳票に対応する画像が用紙上に形成されることにより、１組の帳票が作成される。たとえば、図５（Ａ）〜図５（Ｃ）に示すような「顧客用」帳票、「処理用」帳票、および「控え用」帳票からなる３枚１組の帳票が作成される。
【００４５】
このような１組の帳票の画像は、たとえば、専用のアプリケーションを用いてＰＣ１００により編集される。編集された帳票の画像についての印刷データがＰＣ１００からＭＦＰ２００に送信されることにより、ＭＦＰ２００により１組の帳票が作成される。以下、図６〜図９を参照して、本実施形態における画像形成システムの動作について説明する。
【００４６】
図６は、ＰＣにより実行される印刷指示処理の手順を示すフローチャートである。本実施形態では、帳票作成用のアプリケーションにより帳票が編集された後、当該アプリケーションを介してプリンタドライバが起動される。プリンタドライバを介して、ＰＣ１００の利用者により印刷指示が行われる。なお、図６のフローチャートに示されるアルゴリズムは、ＰＣ１００のＨＤＤ１０３にプログラムとして記憶されており、ＣＰＵ１０１により実行される。
【００４７】
印刷指示処理では、まず、帳票構成枚数が設定される（ステップＳ１０１）。本実施形態では、プリンタドライバが起動されることにより、帳票構成枚数を設定するための出力設定画面４００（図７（Ａ）参照）がＰＣ１００のディスプレイ１０４に表示される。ディスプレイ１０４に表示される出力設定画面４００を通じて、ＰＣ１００の利用者により１組の帳票を構成する用紙の枚数が設定される。
【００４８】
図７は、出力設定画面の一例を示す図である。図７（Ａ）に示されるとおり、出力設定画面４００は、印刷ジョブに対する異常終了処理の実行を設定するためのチェックボックス４１０と、１組の帳票を構成する用紙の枚数を設定するためのスピンボタン４２０とを有する。ステップＳ１０１に示す処理では、ユーザ操作により、チェックボックス４１０がチェックされ、スピンボタン４２０で枚数が指定される場合、帳票構成枚数が設定される（図７（Ｂ）参照）。
【００４９】
続いて、ＭＦＰ２００に対して印刷処理が指示される（ステップＳ１０２）。本実施形態では、ステップＳ１０１に示す処理で設定された用紙の枚数を示す枚数情報を含む帳票の印刷データが生成され、印刷データがＰＣ１００からＭＦＰ２００に送信される。
【００５０】
以上のとおり、図６に示すフローチャートの処理によれば、１組の帳票を構成する用紙の枚数が設定され、当該枚数を示す枚数情報を含む帳票の印刷データがＭＦＰ２００に送信される。
【００５１】
図８は、ＭＦＰにより実行される印刷処理の手順を示すフローチャートである。なお、図８のフローチャートに示されるアルゴリズムは、ＭＦＰ２００のＨＤＤ２０３にプログラムとして記憶されており、ＣＰＵ２０１により実行される。
【００５２】
印刷処理では、まず、印刷指示が受け付けられる（ステップＳ２０１）。本実施形態では、ＰＣ１００から送信された印刷データが印刷ジョブとして受信される。
【００５３】
図９は、ＰＣからＭＦＰに送信される印刷データの一例を示す図である。印刷データ５００は、複数ページの画像をページ毎に用紙上に形成するためのデータであり、ヘッダ部５１０と本体部５２０とを有する。ヘッダ部５１０には、カーボンコピー印刷を行うことを示す情報、異常終了処理を実行することを示す情報、および１組の帳票を構成する用紙の枚数を示す枚数情報が記述されている。本体部５２０には、各帳票（ページ）の画像に含まれるオブジェクトを示す情報が記述されている。なお、カーボンコピー印刷では、すべてのページに共通するオブジェクトが多数含まれる。
【００５４】
続いて、画像の印刷が行われる（ステップＳ２０２）。本実施形態では、印刷データに基づいて、１つの帳票の画像が用紙上に形成される。
【００５５】
続いて、用紙が一時保管部２６０に保管される（ステップＳ２０３）。本実施形態では、ステップＳ２０２に示す処理で帳票の画像が形成された用紙が、一時保管部２６０に収容される。
【００５６】
続いて、印刷処理が終了したか否かが判断される（ステップＳ２０４）。本実施形態では、各帳票の画像を用紙上に形成する画像形成処理が終了したか否かが判断される。ここで、印刷処理が終了する場合には、印刷ジョブが最後まで実行されて終了する場合のみならず、印刷ジョブの実行中のキャンセル指示や紙詰まりにより印刷ジョブが強制終了される場合が含まれる。
【００５７】
印刷処理が終了していないと判断される場合（ステップＳ２０４：ＮＯ）、ステップＳ２０２の処理に戻る。その結果、次のページ（帳票）の画像が用紙上に形成される。
【００５８】
一方、印刷処理が終了したと判断される場合（ステップＳ２０４：ＹＥＳ）、印刷ジョブがカーボンコピー印刷ジョブであるか否かが判断される（ステップＳ２０５）。本実施形態では、印刷データ５００のヘッダ部５１０が参照され、カーボンコピー印刷を行うことを示す情報および異常終了処理を実行することを示す情報が「ＯＮ」であるか否かが判断される。これらの情報が「ＯＮ」である場合、印刷ジョブがカーボンコピー印刷ジョブであると判断される。
【００５９】
印刷ジョブがカーボンコピー印刷ジョブでないと判断される場合（ステップＳ２０５：ＮＯ）、全用紙が排紙部２７０に排出され（ステップＳ２０７）、処理が終了される。本実施形態では、異常終了処理を行わないとして、一時保管部２６０に収容されている用紙が、通常の排出先である排紙部２７０に排出される。
【００６０】
一方、印刷ジョブがカーボンコピー印刷ジョブであると判断される場合（ステップＳ２０５：ＹＥＳ）、帳票構成枚数分の印刷が行われたか否かが判断される（ステップＳ２０６）。本実施形態では、一時保管部２６０に収容されている用紙の枚数が、印刷データの枚数情報が示す枚数と一致するか否かが判断される。枚数が一致すると判断される場合、帳票構成枚数分の印刷が行われたと判断される。
【００６１】
帳票構成枚数分の印刷が行われたと判断される場合（ステップＳ２０６：ＹＥＳ）、全用紙が排紙部２７０に排出され（ステップＳ２０７）、処理が終了される。本実施形態では、画像が形成された用紙（すなわち、帳票）の枚数が予め設定された枚数と一致するとして、一時保管部２６０に収容されている１組の帳票が、通常の排出先である排紙部２７０に排出される。１組の帳票が排紙部２７０に排出されることにより、１組の帳票を構成する複数枚の帳票は、印刷設定にしたがって、同一または異なる排紙トレイ（または、排紙ボックス）に排出される。
【００６２】
一方、ステップＳ２０６に示す処理において、帳票構成枚数分の印刷が行われていないと判断される場合（ステップＳ２０６：ＮＯ）、全用紙が異常終了用紙保管部２８０に保管され（ステップ２０８）、処理が終了される。本実施形態では、画像が形成された用紙（すなわち、帳票）の枚数が予め設定された枚数と一致しないとして、一時保管部２６０に収容されている、枚数に過不足のある１組の帳票が、異常終了用紙保管部２８０に保管される。たとえば、印刷ジョブの実行中のキャンセル指示により印刷処理が強制終了された場合、帳票の枚数は不足している。あるいは、印刷ジョブの実行中に紙詰まりが発生し、その後強制終了されることなく印刷処理が再開され、同じ画像が重複して形成されてしまった場合、帳票の枚数は多くなる。ステップＳ２０８に示す処理では、枚数に過不足のある１組の帳票が、異常終了用紙保管部２８０に保管される。枚数に過不足がある帳票が異常終了用紙保管部２８０に保管されることにより、帳票が正しく揃っていないことに利用者が気付くことができる。
【００６３】
以上のとおり、図８に示すフローチャートの処理によれば、画像形成部２５０により画像が形成された用紙が一時保管部２６０に収容され、印刷処理の終了が認識された場合、印刷ジョブがカーボンコピー印刷ジョブであるか否かが判断される。印刷ジョブがカーボンコピー印刷ジョブであると判断される場合、一時保管部２６０に収容されている用紙の枚数が、予め設定された用紙の枚数と一致するか否かが判断される。そして、用紙の枚数が一致すると判断される場合には、一時保管部２６０に収容されている１組の用紙（すなわち、１組の帳票）が排紙部２７０に搬送され、排紙トレイから排出される。一方、用紙の枚数が一致しないと判断される場合には、一時保管部２６０に収容されている帳票が異常終了用紙保管部２８０に保管される。
【００６４】
このような構成によれば、印刷処理の異常終了により、１組の帳票が過不足なく作成されなかった場合、１組の帳票が正しく揃っていないことに利用者が気付くことができる。したがって、帳票が正しく揃っていないことに利用者が気付かないまま、ＭＦＰ２００から帳票を持ち去ってしまうことが防止される。その結果、１組の帳票が正しく揃っていないことに利用者が気付かないままＭＦＰ２００から帳票を持ち去ってしまうことに起因して生じる問題が解消される。
【００６５】
また、利用者が、１組の帳票が正しく揃っていないことに気付いて帳票を再印刷する場合であっても、印刷処理が正常に終了した１組の帳票と、印刷処理が異常終了した１組の帳票とが異なる排出先に排出されるため、これらの２組の帳票が混ざり合ってしまうことがない。したがって、２組の帳票が混ざり合うことにより同一の帳票に対して処理が二重に行われることが防止される。
【００６６】
（変形例）
上述した実施形態では、印刷ジョブは、印刷ジョブ送信装置であるＰＣ１００により生成され、ＭＦＰ２００に送信された。しかしながら、印刷ジョブは、ＭＦＰ２００により生成されてもよい。
【００６７】
図１０は、本実施形態の変形例に係るＭＦＰのＨＤＤの内容を示す図である。ＨＤＤ２０３には、文書ファイルを作成するための文書ファイル作成アプリケーション（帳票作成用のアプリケーション）、文書ファイルをＭＦＰ２００が解釈可能なＰＤＬで記述された印刷データに変換するための印刷ジョブ生成プログラム、印刷データを変換してビットマップ形式の画像データを生成するための画像データ生成プログラム、および、印刷処理の異常終了が認識された場合に異常終了用紙保管部２８０に用紙を保管する異常終了処理を実行するための異常終了処理実行プログラムが格納されている。
【００６８】
なお、ＨＤＤ２０３に文書ファイル作成アプリケーションおよび印刷ジョブ生成プログラム（プリンタドライバ）が記憶されている点を除いては、変形例に係るＭＦＰの構成は、本実施形態に係るＭＦＰの構成と同様であるため、詳細な説明は省略する。
【００６９】
このような構成によれば、ＭＦＰ２００の操作パネル部２２０を通じて、ユーザが、帳票作成用のアプリケーションにより帳票を編集した後、帳票構成枚数を設定して印刷の実行を指示すれば、ＭＦＰ２００内部で印刷ジョブが生成され、印刷ジョブが実行される。そして、印刷処理の異常終了により、１組の帳票が過不足なく作成されなかった場合、帳票が異常終了用紙保管部２８０に保管される。
【００７０】
本発明は、上記実施形態のみに限定されるものではなく、特許請求の範囲内において、種々改変することができる。
【００７１】
たとえば、上記実施形態では、１組の帳票を構成する用紙の枚数がユーザ操作に基づき設定された。しかしながら、用紙の枚数は、プリンタドライバを起動するアプリケーション（または、アプリケーションにおける帳票のテンプレート）に応じて予め設定され、プリンタドライバの起動時に自動的に設定されてもよい。
【００７２】
また、上記実施形態では、一時保管部２６０に収容されている用紙の枚数が予め設定された枚数と一致しないと判断された場合、一時保管部２６０に収容されている複数枚の用紙が、異常終了用紙保管部２８０に保管された。しかしながら、一時保管部２６０に収容されている用紙の枚数が予め設定された枚数と一致しないと判断された場合、一時保管２６０部に収容されている複数枚の用紙が、排紙部２７０に設けられた専用の排紙トレイや排紙ボックスに排出されてもよい。
【００７３】
また、上記実施形態では、印刷データのヘッダ部に記述されている枚数情報に基づいて、画像が形成される用紙の枚数が求められ、一時保管部２６０に収容されている用紙の枚数と比較された。しかしながら、印刷データの本体部の情報を解析して画像が形成される用紙の枚数（ページ数）を求め、当該求められた用紙の枚数が、一時保管部２６０に収容されている用紙の枚数と比較されてもよい。
【００７４】
また、上記実施形態では、印刷ジョブがカーボンコピー印刷ジョブである場合に限り、異常終了処理が実行された。しかしながら、たとえば、各ページに共通のオブジェクトを有さない複数ページの画像を用紙に形成する通常の印刷ジョブに対して、異常終了処理が実行されてもよい。
【００７５】
本実施形態にかかる画像形成システムにおける各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、装置の一機能としてその装置のソフトウエアに組み込まれてもよい。
【符号の説明】
【００７６】
１００  ＰＣ、
１０１，２０１  ＣＰＵ、
１０２，２０２  メモリ、
１０３，２０３  ＨＤＤ、
１０４  ディスプレイ、
１０５  入力装置、
１０６，２０４  通信Ｉ／Ｆ部、
１０７  バス、
２００  ＭＦＰ、
２１０  制御部、
２２０  操作パネル部、
２３０  画像読取部、
２４０  給紙部、
２５０  画像形成部、
２６０  一時保管部、
２７０  排紙部、
２８０  異常終了用紙保管部、
３００  ネットワーク、
４００  出力設定画面、
５００  印刷データ。
【図１】
0005782723.tif 000002
【図２】
0005782723.tif 000003
【図３】
0005782723.tif 000004
【図４】
0005782723.tif 000005
【図６】
0005782723.tif 000006
【図７】
0005782723.tif 000007
【図８】
0005782723.tif 000008
【図９】
0005782723.tif 000009
【図１０】
0005782723.tif 000010
【図５】
0005782723.tif 000011